(57)【特許請求の範囲】
【請求項１】
ＥＤＴＶ映像信号を受信する映像信号処理装置において、
前記ＥＤＴＶ映像信号から分離された色信号および水平解像度補強信号から成る合成信号と、該合成信号を２６２ライン分遅延させた第１の遅延信号との差をとって第１の水平解像度補強信号を取り出す第１の遅延処理手段と、
前記合成信号と、該合成信号を２６３ライン分遅延させた第２の遅延信号との和をとって第２の水平解像度補強信号を取り出す第２の遅延処理手段と、
前記第１の水平解像度補強信号と前記第２の水平解像度補強信号との平均をとって第３の水平解像度補強信号を出力する平均値算出手段と、
前記振幅比較手段による比較出力に基づいて、前記第１の水平解像度補強信号、前記第２の水平解像度補強信号および前記第３の水平解像度補強信号の出力振幅を比較する振幅比較手段と、
前記第１の水平解像度補強信号、前記第２の水平解像度補強信号および前記第３の水平解像度補強信号のなかから最小の振幅値を有する水平解像度補強信号を選択して出力する選択手段と、
前記合成信号と、前記選択手段から出力される水平解像度補強信号との差をとって色信号を取り出す色信号分離手段とを有して構成されることを特徴とする映像信号処理装置。
【請求項２】
ＥＤＴＶ映像信号を受信する映像信号処理装置において、
前記ＥＤＴＶ映像信号から分離された色信号および水平解像度補強信号から成る合成信号と、該合成信号を２６２ライン分遅延させた第１の遅延信号との差をとって第１の水平解像度補強信号を取り出す第１の遅延処理手段と、
前記合成信号と、該合成信号を２６３ライン分遅延させた第２の遅延信号との和をとって第２の水平解像度補強信号を取り出す第２の遅延処理手段と、
前記第１の水平解像度補強信号と前記第２の水平解像度補強信号との平均をそれぞれ異なる重み付けでとる複数の平均値算出手段と、
前記第１の水平解像度補強信号、前記第２の水平解像度補強信号、および前記複数の平均値算出手段からそれぞれ出力される複数の水平解像度補強信号の出力振幅を比較する振幅比較手段と、
前記振幅比較手段による比較出力に基づいて、前記第１の水平解像度補強信号、前記第２の水平解像度補強信号および前記複数の平均値算出手段からそれぞれ出力される複数の水平解像度補強信号のなかから最小の振幅値を有する水平解像度補強信号を選択して出力する選択手段と、
前記合成信号と、前記選択手段から出力される水平解像度補強信号との差をとって色信号を取り出す色信号分離手段とを有して構成されることを特徴とする映像信号処理装置。
【発明の詳細な説明】
【０００１】
【発明の属する技術分野】
本発明は映像信号処理装置に関し、更に詳しくは、例えば第２世代ＥＤＴＶの映像信号処理装置の水平補強信号の復調方法を改良して、垂直非相関部でのドット妨害を改善した映像信号処理装置に関するものである。
【０００２】
【従来の技術】
近年、電気通信技術の目覚ましい発展により、無線系、有線系のニューメディアが続々登場している。高画質でアスペクト比が１６：９の高品位テレビジョン（ＨＤＴＶ）や、アスペクト比が１６：９のワイドテレビジョンも普及している。また、現行受信機との両立性を維持しながらワイド化や高画質化を実現する補強信号を有する高画質テレビジョン（以下、単に「ＥＤＴＶ−ＩＩ」と記す）も放送が開始されている。本発明は、本出願人が先に出願した特願平７−７６５６７号明細書に記載の「映像信号処理装置」に関連するものであり、その技術内容を図４ないし図７に再掲して説明する。なお、以下の説明では映像信号処理装置の一例として放送が開始されたＥＤＴＶ−ＩＩ受像機を採り挙げ説明を行う。先ず、先に出願した事項については「先願例」とし、先願例における「暫定方式案」は放送が開始されているため「従来技術」と呼び換えて説明する。
【０００３】
先ず、図４を参照して従来技術のＥＤＴＶ−ＩＩの概要を説明する。図４は従来技術のＥＤＴＶ−ＩＩ受信機の一例を示すブロック図である。
【０００４】
図４における従来技術のＥＤＴＶ−ＩＩ受像機の構成は、図示を省略したアンテナ、チューナ、ＶＩＦ回路等を介してＥＤＴＶ−ＩＩの復号映像信号が入力される入力部１、アナログ→ディジタル変換するＡ／Ｄ変換器２、ＥＤＴＶ−ＩＩの復号映像信号を従来の輝度信号ＹＬ  や、色信号Ｃ＋周波数シフト後の水平解像度補強信号ＨＨ′（以下、単に「ＨＨ′」とも記す）に分離する３次元Ｙ／Ｃ分離器３、色信号ＣとＨＨ′の分離を行うＣ／ＨＨ′分離器４、ＨＨ′をデコードするＨＨ復調器５、前記ＹＬ  とＨＨ復調器５の出力ＨＨを加算する加算器６、加算器６の出力するＥＤＴＶ−ＩＩにおける広帯域輝度信号Ｙを出力する出力部７、そしてＣ／ＨＨ′分離器４から分離された色信号Ｃを出力する出力部８等から構成されている。
【０００５】
そして、入力部１から入力されたＥＤＴＶ−ＩＩの復号映像信号は、Ａ／Ｄ変換器２によってアナログ→ディジタル変換されて次段の３次元Ｙ／Ｃ分離器３に送出される。３次元Ｙ／Ｃ分離器３では、例えば映像信号を一旦ディジタル化してメモリに取り込み、動画像時には隣合った走査線同士或いは静止画像時にはフィールド間同士で加算・減算を行い、動き検出によりこれらを組み合わせることによって輝度信号ＹＬ  と色信号Ｃ＋ＨＨ′との完全分離を行う。分離された輝度信号ＹＬ  は次段の加算器６に入力される。
【０００６】
一方、３次元Ｙ／Ｃ分離器３により分離された色信号Ｃ＋ＨＨ’は本発明の対象部位であるＣ／ＨＨ’分離器４において色信号Ｃおよび周波数シフト後の水平解像度補強信号ＨＨ’に分離され、色信号Ｃはそのまま出力部８から出力される。ＨＨ’はＨＨ復調期５に送出されて同期検波によりデコードされ、元の輝度信号の水平高域成分ＨＨとして加算器６に入力される。加算器６ではＹＬ信号とＨＨ信号を加算することにより、ＥＤＴＶ−ＩＩにおける広帯域輝度信号Ｙとして出力部７から出力される。
【０００７】
次に、図５を参照してホール多重に使用するキャリアの垂直−時間領域での位相関係を説明する。図５は垂直対時間領域におけるキャリアの位相関係を示す図であり、（ａ）は色副搬送波ｆｓｃの位相関係を示す説明図、（ｂ）はホール多重のＨＨ′キャリアの位相関係を示す説明図である。
【０００８】
図５（ａ）において、色信号Ｃを搬送している色副搬送波ｆｓｃの位相関係は、図示の如く各走査線間およびフレーム間で逆相になるようになされ、かつ同一位相の走査線がフィールド毎に上昇する位相関係を有している。これはＮＴＳＣ方式決定の際に配慮されたもので３次元Ｙ／Ｃ分離はこの位相関係を利用して行われる。
【０００９】
同図（ｂ）において、ＨＨ′キャリアの位相関係は、図示の如く各走査線間およびフレーム毎に位相が反転し、同一位相の走査線が前述の色副搬送波ｆｓｃとは逆にフィールド毎に下降する位相関係を有している。前述のＣ／ＨＨ′分離器における色信号ＣおよびＨＨ′の分離はこのＨＨ′キャリアのフィールド毎に下降する位相関係を利用して行われる。なお、周波数シフト後の水平解像度補強信号ＨＨ′は、輝度信号の水平高域成分ＨＨをキャリア周波数μ０  ＝１６／７ｆｓｃ（約８．１８ＭＨｚ）で変調したものである。
【００１０】
色信号ＣおよびＨＨ′の分離は、通常の帯域通過フィルタ（Ｂａｎｄ  Ｐａｓｓ  Ｆｉｌｔｅｒ）やフィールド内相関およびフレーム相関を利用した分離方法では困難であり、次のような分離方法が採られている。図５（ａ）の色副搬送波ｆｓｃの例えば第２フィールドの信号位相と、同図（ｂ）の第２フィールドの信号位相とが反転しているフィールド相関差を利用してＣ／ＨＨ′の分離がなされる。例えば、図５（ｂ）の信号Ｅに対して前フィールドの信号Ｆは２６３Ｈ離れており、また信号Ｅに対して前フィールドの信号Ｇは２６２Ｈだけ離れて存在している。この関係を利用した次の２方式の分離方法が考案されており、以下にこのＣ／ＨＨ′分離の動作原理を説明する。
【００１１】
図６および図７を参照してＣ／ＨＨ′分離器の具体例を説明する。
先ず、図６を参照して第１例のＣ／ＨＨ′分離器の構成を説明する。図６は第１例のＣ／ＨＨ′分離器を示す図であり、（ａ）は第１例のＣ／ＨＨ′分離器のブロック図、（ｂ）はそのフィルタ特性を示す特性図である。
【００１２】
図６（ａ）において、符号１０は第１例のＣ／ＨＨ′分離器を指す。第１例のＣ／ＨＨ′分離器１０の構成は、前述の３次元Ｙ／Ｃ分離器によって分離されたＣ＋ＨＨ′が入力される入力部１１、２６２Ｈの遅延素子でなるフィールドメモリ（２６２Ｈ）１２、減算器１３、１４、色信号の出力部１５、そしてＨＨ′の出力部１６等で構成される。
【００１３】
かかる構成の第１例のＣ／ＨＨ′分離器の動作を説明する。
入力部１１から入力されたＣ＋ＨＨ′は減算器１３、１４およびフィールドメモリ（２６２Ｈ）１２に並行して入力される。一方、フィールドメモリ（２６２Ｈ）１２を介して入力された信号は減算器１３の他方に入力され、減算器１３によって１フィールド２６２Ｈ相関差を利用した減算処理がなされる。すると、前述のように色副搬送波ｆｓｃのフィールド毎の信号位相は同一であり、ホール多重のＨＨ′キャリアのフィールド毎の信号位相、例えば図５（ｂ）の信号Ｅと信号Ｇは逆相であることから、これらは減算されて出力部１６にはＨＨ′が出力されることになる。同じく、減算器１４においてＣ＋ＨＨ′信号からＨＨ′を減算すると出力部１５には色信号Ｃが出力される。
【００１４】
同図（ｂ）はその状態における時間周波数ｆ−垂直周波数ν軸上でのフィルタ特性を示しており、図示のように色信号ＣおよびＨＨ′が通過帯域を介して分離されている状態が知見される。
【００１５】
次に、図７を参照して第２例のＣ／ＨＨ′分離器の構成を説明する。図７は第２例のＣ／ＨＨ′分離器を示す図であり、（ａ）は第２例のＣ／ＨＨ′分離器のブロック図、（ｂ）はそのフィルタ特性を示す特性図である。
【００１６】
図７（ａ）において、符号２０は第２例のＣ／ＨＨ′分離器を指す。第２例のＣ／ＨＨ′分離器２０は、前記と同様に３次元Ｙ／Ｃ分離器により分離されたＣ＋ＨＨ′信号が入力される入力部２１、２６３Ｈの遅延素子でなるフィールドメモリ（２６３Ｈ）２２、加算器２３、減算器２４そして出力部２５、２６を備えて構成される。
【００１７】
かかる構成の第２例のＣ／ＨＨ′分離器の動作を説明する。
入力部２１から入力されたＣ＋ＨＨ′信号は加算器２３、減算器２４およびフィールドメモリ（２６３Ｈ）２２に入力される。一方、フィールドメモリ（２６３Ｈ）２２を介して入力された信号は加算器２３の他方に入力され、加算器２３によって１フィールド２６３Ｈ相関差を利用した加算処理がなされる。すると、前述のように色副搬送波ｆｓｃのフィールド毎の信号位相は逆相であり、ホール多重のＨＨ′キャリアのフィールド毎の信号位相、例えば図５（ｂ）の信号Ｅと信号Ｆは同相であることから、これらは加算されて出力部２６にはＨＨ′が出力されることになる。同様に、減算器２４によってＣ＋ＨＨ′信号からＨＨ′を減算すると出力部２５には色信号Ｃが出力される。
【００１８】
同図（ｂ）はその状態における時間周波数ｆ−垂直周波数ν軸上でのフィルタ特性を示しており、図示のように色信号ＣおよびＨＨ′が通過帯域を介して分離されている状態が知見される。
【００１９】
なお、Ｃ／ＨＨ′分離では、前述のように、フレーム間Ｙ／Ｃ分離とは異なり垂直方向に位置のずれた信号間で演算を行うため、原理そのままでは垂直非相関部（色のエッジ）においてＣ／ＨＨ′分離のエラーが発生する。従来技術のＥＤＴＶ−ＩＩ受信機のフィルタ特性の問題点について、画面上半分が赤、下半分が無色（灰色）を例に図８を参照して説明する。図８は垂直非相関部の色信号を示す図、（ａ）は画面に赤と灰色を表示した場合の垂直周波数−時間周波数上でのフィルタ特性、（ｂ）は上述の第１例のＣ／ＨＨ′分離器で得られるＨＨ′を示す図、（ｃ）は第２例のＣ／ＨＨ′分離器で得られるＨＨ′を示す図である。
【００２０】
図８（ａ）において、画面上半分に赤、下半分に灰色が表示された場合、画面上の赤領域では各走査線毎および各フィールド毎に位相が反転する色信号が現れる。色のエッジ（垂直非相関部）では色のエッジを境に赤色から灰色に変化するため、色信号Ｃは現れなくなる。
同図（ｂ）の第１例のＣ／ＨＨ′分離器にＣ＋ＨＨ′信号が入力された場合、例えば第１フィールドでは問題無くＣ／ＨＨ′分離がなされるが、色のエッジの直上のラインには図に示すようにＣ→ＨＨ′クロストークによるエラーＫが発生することがある。
同図（ｃ）の第２例のＣ／ＨＨ′分離器で得られるＨＨ′を示す図においても、色のエッジの直下で第１例と同様にエラーＫが発生する場合がある。
【００２１】
このようなエラーの発生を抑えるために考案された先願例のＥＤＴＶ−ＩＩ受像機の形態を図９を参照して説明する。図９は先願例のＥＤＴＶ−ＩＩ受像機を示すブロック図である。
【００２２】
先願例のＥＤＴＶ−ＩＩ受像機の構成は、３次元Ｙ／Ｃ分離器後のＣ＋ＨＨ′が入力される入力部３０、第１遅延処理手段３１としてのフィールドメモリ（２６２Ｈ）３２および減算器３３、フィールドメモリ（２６２Ｈ）３２および減算器３２を包含し、新たにラインメモリ（１Ｈ）３４および加算器３５を加えた第２遅延処理手段３６から構成される。また、振幅比較手段３７や選択手段３８等からなる振幅検出手段３９、信号分離手段４０、プリコーミングの有無を選択するセレクタ４１、動き検出ＭＤ（Ｍｏｔｉｏｎ  Ｄｅｔｅｃｔｏｒ）  や輝度信号の水平高域成分ＨＨの検出を行うセレクタ４２、静止画および動画の選択を行い、静止画時には▲１▼ＨＨ′を信号分離手段４０に出力するセレクタ４３、ＨＨ′の復調を行うＨＨ復調器５、そしてＨＨ復調器５のＨＨ信号が出力される出力部４４、信号分離手段４０で分離された色信号Ｃが出力される出力部４５等から構成される。
【００２３】
即ち、先願例のＥＤＴＶ−ＩＩ受像機は、前述の第１遅延処理手段３１と第２遅延処理手段３６の両方から２種類のＨＨ′を生成するとともに、選択手段３８によってエラーの無いＨＨ′を選択するようにしたものであった。
【００２４】
このような構成された先願例のＥＤＴＶ−ＩＩ受像機の動作を説明する。
入力部３０に入力されたＣ＋ＨＨ′信号は、破線で示した第１遅延処理手段３１内のフィールドメモリ（２６２Ｈ）３２および減算器３３に並行して入力されるとともに、減算器３３では、直接入力されたＣ＋ＨＨ′信号とフィールドメモリ（２６２Ｈ）３２を経て入力されたＣ＋ＨＨ′信号とは、前述のように色副搬送波のフィールド毎の信号位相は同一であり、ＨＨ′キャリアのフィールド毎の信号位相は逆相であることを利用して減算処理し、第１遅延処理手段３１から▲１▼ＨＨ′として出力する。
【００２５】
更に、ラインメモリ（１Ｈ）３４および加算器３５を追加することによって一点鎖線で示した第２遅延処理手段３６を形成する。そして、入力部３０から入力されたＣ＋ＨＨ′信号と、フィールドメモリ（２６２Ｈ）３２およびラインメモリ（１Ｈ）３４を経由した（２６２Ｈ）＋（１Ｈ）＝（２６３Ｈ）遅延信号は加算器３５で加算され、これらは前述のように色副搬送波のフィールド毎の信号位相は逆相であり、ＨＨ′キャリアのフィールド毎の信号位相は同相であることから加算処理されて第２遅延処理手段３６からは▲２▼ＨＨ′が出力される。
【００２６】
第１遅延処理手段３１の▲１▼ＨＨ′と、第２遅延処理手段３６の▲２▼ＨＨ′は次段の選択手段３８および振幅検出手段３９に並行して入力される。振幅検出手段３９では構成要素である振幅比較手段３７によって▲１▼ＨＨ′と▲２▼ＨＨ′の比較を行い、検出信号を選択手段３８に出力する。選択手段３８では、その検出信号を受取して１画素毎に常に振幅の小さい方を選択してセレクタ４１に出力する。セレクタ４１では、プリコーミングの有無を選択してプリコーミング有りの場合はそのまま補強信号の復調がなされ、上述のような処理は不要であるから第１遅延処理手段３１の出力である▲１▼ＨＨ′がそのまま選択される。プリコーミング無しの場合は上述のような処理を施すことにより、常に振幅の小さい方のＨＨ′を採用することでエラーの無いＨＨ′を選択することが可能となる。
【００２７】
セレクタ４２では、動き検出ＭＤ或いはＨＨ′の検出を行い、動き有り（動画像）のときにはＨＨ′処理は必要ないためセレクタ４２を開く。また、ＨＨの有無を検出してＨＨ信号がない場合にもセレクタ４２を開いて上述の機能を停止する。動き検出の結果が静止画像の時にはＨＨ′の処理が必要なため、セレクタ４２は閉じられてＨＨ復調器５に出力される。ＨＨ復調器５では、ＨＨ′を同期検波等により輝度信号の水平高域成分ＨＨを復調して出力部４４より出力する。セレクタ４３では、動き検出ＭＤ或いはＨＨ′の検出を行い、動画時にはＨＨ′は不要であるためセレクタ４３を開く。動き検出の結果が静止画のときにはセレクタ４３を閉じて信号分離手段４０に入力する。信号分離手段４０では、入力信号であるＣ＋ＨＨ′から第１遅延処理手段３１の出力である▲１▼ＨＨ′を減算して出力部４５に色信号Ｃとして出力する。
【００２８】
このような処理の結果、図１０に示すような結果を得ることができる。即ち、先願例のＥＤＴＶ−ＩＩ受像機では、常にエラーの無いＨＨ′を採用することにより、垂直非相関部においてもＣ→ＨＨ′クロストークによるドット妨害が発生しないように工夫がなされている。
【００２９】
しかしながら、これらの工夫の施されていないＣ／ＨＨ′分離においては、垂直非相関部でＣ→ＨＨ′クロストークが発生してしまう。そこで、従来技術のＥＤＴＶ−ＩＩ放送方式では、Ｙ／Ｃ／ＨＨ′相互間のクロストークを防ぐために、Ｙ、色差、ＨＨの各信号は送信側において帯域制限（プリコーミング）されて送出されてくるようになっている。送信側ではプリコーミング・フィルタの他にも、プリフィルタ等幾つかの垂直方向帯域制限が加えられるため、信号波形が垂直方向に鈍ったものになっている。なお、プリコーミング・フィルタ、プリフィルタ等はフィルタ特性が規定されておらず、また、プリコーミングは必須ではなく推奨技術となされている。
【００３０】
エラー対策を盛り込んだ先願例のＥＤＴＶ−ＩＩ受像機ではあるが、前述の送信側におけるプリコーミング・フィルタやプリフィルタ等の垂直方向の鈍りによって、ドット妨害が完全に除去しきれない場合が生じる。
【００３１】
先願例のＥＤＴＶ−ＩＩ受像機の課題について、図１１および図１２を参照して説明する。図１１は垂直方向の信号の鈍りによる色のエッジ部への影響を示す説明図であり、図１２は鈍った信号時のＨＨ′出力を示す波形図であり、（ａ）は第１例のＣ／ＨＨ′分離器のＨＨ′出力、（ｂ）は第２例のＣ／ＨＨ′分離器のＨＨ′出力、（ｃ）は先願例の選択手段のＨＨ′出力を示す図である。
【００３２】
例えば、図１１に示すように画面上半分が赤、下半分が灰色が表示されるとともに、垂直方向の信号が鈍った場合において、画面上の赤領域から色のエッジ近傍の何ラインに渡って色信号Ｃの振幅レベルが徐々に変化して現れるようになる。なお、波形に付加した数字は色信号Ｃの振幅レベルを表している。
【００３３】
選択手段によって常にエラーの無いＨＨ′出力を選択するようになされた先願例のＥＤＴＶ−ＩＩ受像機に、図１１に示す如き信号が入力された場合において、例えば、図１２の所定フィールドの２ラインでは、第１例（ａ）の出力０．１と、第２例（ｂ）の出力０が選択手段によって選択され、先願例の選択手段には、第２例のＨＨ′出力である０が出力されることになる。
【００３４】
同様に３ラインでは、互いに位相の異なる第１例の出力０．１５と、第２例の出力０．１が選択手段によって選択され、先願例の選択手段にはレベルの小さい第２例のＨＨ′出力である０．１が出力される。
更に、４ラインでは、互いに位相が異なり同一レベルの第１例の出力０．１５と、第２例の出力０．１５が選択手段によって選択され、先願例の選択手段には同一レベルであるため予め設定された（同一レベル時は第１のＨＨ′出力）第１のＨＨ′出力の０．１５が出力される。
【００３５】
以上説明したように、図１１の＊印のラインでは上下ライン（２６２Ｈ、２６３Ｈ離れたライン）とも色信号レベルが異なるため、前述の第１例および第２例のＣ／ＨＨ′分離器で示したレベルよりもドット振幅は減少しているものの、除去しきれないレベルが残る場合がある。一例としてＣ→ＨＨ′クロストークの周波数は色副搬送波ｆｓｃであり、これが１６ｆｓｃ／７キャリアでＨＨ復調されて、ｆｓｃ×１６ｆｓｃ／７＝９ｆｓｃ／７＝４．６ＭＨｚのドット妨害となって現れることになる。
【００３６】
【発明が解決しようとする課題】
ＥＤＴＶ−ＩＩ放送方式では、輝度信号Ｙ、色信号Ｃおよび周波数シフト後の水平解像度補強信号ＨＨ′相互間のクロストークを防止するためプリコーミング（ホール部の妨害成分除去）を行うことを推奨している。しかし、このプリコーミングは推奨技術であり、必須技術ではないため送信側においてプリコーミングの無い輝度信号の水平高域成分ＨＨの送出があり得る。その場合には、色信号ＣとＨＨ′のクロストークとなる虞れがある。特に、色信号Ｃの高域成分がＨＨ′領域にまぎれ込み、ＨＨ′として扱われることにより高周波のドット妨害となる不具合点があった。
【００３７】
本発明の課題は、送信側における帯域制限（プリコーミング）の垂直方向の鈍りによって発生する、垂直非相関部のおけるクロストークによる特定周波数のドット妨害を抑制して、更なる高品位な映像が得られるＥＤＴＶ−ＩＩ受像機を提供することである。
【００３８】
【課題を解決するための手段】
かかる課題を解決するために、本発明は、ＥＤＴＶ映像信号を受信する映像信号処理装置において、前記ＥＤＴＶ映像信号から分離された色信号および水平解像度補強信号から成る合成信号と、該合成信号を２６２ライン分遅延させた第１の遅延信号との差をとって第１の水平解像度補強信号を取り出す第１の遅延処理手段と、前記合成信号と、該合成信号を２６３ライン分遅延させた第２の遅延信号との和をとって第２の水平解像度補強信号を取り出す第２の遅延処理手段と、前記第１の水平解像度補強信号と前記第２の水平解像度補強信号との平均をとって第３の水平解像度補強信号を出力する平均値算出手段と、前記第１の水平解像度補強信号、前記第２の水平解像度補強信号および前記第３の水平解像度補強信号の出力振幅を比較する振幅比較手段と、前記振幅比較手段による比較出力に基づいて、前記第１の水平解像度補強信号、前記第２の水平解像度補強信号および前記第３の水平解像度補強信号のなかから最小の振幅値を有する水平解像度補強信号を選択して出力する選択手段と、前記合成信号と、前記選択手段から出力される水平解像度補強信号との差をとって色信号を取り出す色信号分離手段とを有して構成されることを特徴とする。
【００３９】
このような構成の本発明に係る映像信号処理装置では、第１の遅延処理手段により、ＥＤＴＶ映像信号から分離された色信号および水平解像度補強信号から成る合成信号と、該合成信号を２６２ライン分遅延させた第１の遅延信号との差をとって第１の水平解像度補強信号を取り出すとともに、第２の遅延処理手段により、前記合成信号と、該合成信号を２６３ライン分遅延させた第２の遅延信号との和をとって第２の水平解像度補強信号を取り出し、平均値算出手段により前記第１の水平解像度補強信号と前記第２の水平解像度補強信号との平均をとって第３の水平解像度補強信号を生成する。そして、前記第１の水平解像度補強信号、前記第２の水平解像度補強信号および前記第３の水平解像度補強信号の出力振幅を比較する振幅比較手段による比較出力に基づいて、前記第１の水平解像度補強信号、前記第２の水平解像度補強信号および前記第３の水平解像度補強信号のなかから最小の振幅値を有する水平解像度補強信号を選択手段により選択し、色信号分離手段により前記合成信号と前記選択手段から出力される水平解像度補強信号との差をとって色信号を取り出す。したがって、プリコーミングの無い場合の色信号Ｃと周波数シフト後の水平補強信号ＨＨ′の分離において、第１遅延処理手段と、第２遅延処理手段と、平均値算出手段との出力を比較して最小振幅の周波数シフト後の水平補強信号ＨＨ′を復調することにより、垂直非相関部でのクロストークにおける特定周波数のドット妨害を改善することができる。
【００４０】
また、本発明は、ＥＤＴＶ映像信号を受信する映像信号処理装置において、前記ＥＤＴＶ映像信号から分離された色信号および水平解像度補強信号から成る合成信号と、該合成信号を２６２ライン分遅延させた第１の遅延信号との差をとって第１の水平解像度補強信号を取り出す第１の遅延処理手段と、前記合成信号と、該合成信号を２６３ライン分遅延させた第２の遅延信号との和をとって第２の水平解像度補強信号を取り出す第２の遅延処理手段と、前記第１の水平解像度補強信号と前記第２の水平解像度補強信号との平均をそれぞれ異なる重み付けでとる複数の平均値算出手段と、前記第１の水平解像度補強信号、前記第２の水平解像度補強信号および前記複数の平均値算出手段からそれぞれ出力される複数の水平解像度補強信号の出力振幅を比較する振幅比較手段と、前記振幅比較手段による比較出力に基づいて、前記第１の水平解像度補強信号、前記第２の水平解像度補強信号および前記複数の平均値算出手段からそれぞれ出力される複数の水平解像度補強信号のなかから最小の振幅値を有する水平解像度補強信号を選択して出力する選択手段と、前記合成信号と、前記選択手段から出力される水平解像度補強信号との差をとって色信号を取り出す色信号分離手段とを有して構成されることを特徴とする。
【００４１】
このような構成の本発明に係る映像信号処理装置では、第１の遅延処理手段により、ＥＤＴＶ映像信号から分離された色信号および水平解像度補強信号から成る合成信号と、該合成信号を２６２ライン分遅延させた第１の遅延信号との差をとって第１の水平解像度補強信号を取り出すとともに、第２の遅延処理手段により、前記合成信号と、該合成信号を２６３ライン分遅延させた第２の遅延信号との和をとって第２の水平解像度補強信号を取り出し、複数の平均値算出手段により、前記第１の水平解像度補強信号と前記第２の水平解像度補強信号との平均をそれぞれ異なる重み付けでとり、前記第１の水平解像度補強信号、前記第２の水平解像度補強信号および前記複数の平均値算出手段からそれぞれ出力される複数の水平解像度補強信号の出力振幅を比較する振幅比較手段による比較出力に基づいて、前記第１の水平解像度補強信号、前記第２の水平解像度補強信号および前記複数の平均値算出手段からそれぞれ出力される複数の水平解像度補強信号のなかから最小の振幅値を有する水平解像度補強信号を選択手段により選択し、色信号分離手段により前記合成信号と前記選択手段から出力される水平解像度補強信号との差をとって色信号を取り出す。これにより第１遅延処理手段や第２遅延処理手段の出力する周波数シフト後の水平補強信号の出力レベルの差異が開いた場合にも、エラーの無い方の周波数シフト後の水平補強信号を選択することが可能となり、垂直非相関部における特定周波数のドット妨害を更に改善できる。
【００４５】
【発明の実施の形態】
以下、図１ないし図３を参照して、本発明のＥＤＴＶ−ＩＩ受像機の実施例を説明する。なお、従来技術や先願例のＥＤＴＶ−ＩＩ受像機を示す図と同一の部分には同一の参照符号を付し、それらの説明を一部省略する。
【００４６】
実施の形態例１
先ず、図１を参照して本発明のＥＤＴＶ−ＩＩ受像機の実施の形態例１の構成を説明する。図１は本発明のＥＤＴＶ−ＩＩ受像機の実施の形態例１の要部を示すブロック図である。
【００４７】
本発明のＥＤＴＶ−II受像機の要部構成は、３次元Ｙ／Ｃ分離後のＣ＋ＨＨ′が入力される入力部３０、第１遅延処理手段３１としてのフィールドメモリ（２６２Ｈ）３２および減算器３３、フィールドメモリ（２６２Ｈ）３２および減算器３３を包含し、新たにラインメモリ（１Ｈ）３４および加算器３５を加えた第２遅延処理手段３６から構成される。また、減算器３３には１／２増幅器５０、加算器３５には１／２増幅器５１が接続されている。
【００４８】
１／２増幅器５０、５１の出力は、振幅比較手段５２および選択手段５３に接続されるとともに、本発明の特徴事項として、第１遅延処理手段３１や第２遅延処理手段３６の平均値を算出するための加算器５４および１／２増幅器５５等を含んだ平均値算出手段１００が接続される。平均値算出手段１００の出力は、振幅比較手段５２や選択手段５３に接続される。更に、入力部３０はそのまま信号分離手段に接続され、１／２増幅器５０を介した第１遅延処理手段３１の出力はセレクタに接続され、選択手段５３の出力はＨＨ′として出力される。以下の構成は先願例のＥＤＴＶ−ＩＩ受像機の構成と同一であり、重複するため省略する。
【００４９】
本実施の形態は、前述の第１遅延処理手段３１と第２遅延処理手段３６の両方のＨＨ′、およびこれらの平均値を算出する平均値算出手段１００によって検出した第３のＨＨ′を生成し、その内の振幅の小さい方を振幅比較手段５２の最小値選択信号を基に選択手段５３によって選択し、ＨＨ′として採用することにより、常にエラーの無い方を選択するようにしたのがポイント部分である。
【００５０】
かかる構成の本発明のＥＤＴＶ−ＩＩ受像機の実施の形態１の動作を説明する。図１において、入力部３０に入力されたＣ＋ＨＨ′信号は、破線で示した第１遅延処理手段３１内のフィールドメモリ（２６２Ｈ）３２および減算器３３に入力される。減算器３３において、直接入力されたＣ＋ＨＨ′信号とフィールドメモリ（２６２Ｈ）３２を介して入力されたＣ＋ＨＨ′信号とは前述の２６２Ｈ相関差を利用した減算処理がなされ、１／２増幅器５０によって元のレベル戻されて▲１▼ＨＨ′が出力される。
【００５１】
ラインメモリ（１Ｈ）３４および加算器３５を追加することによって、一点鎖線で示した第２遅延処理手段３６を形成するとともに、入力部３０から入力されたＣ＋ＨＨ′信号と、フィールドメモリ（２６２Ｈ）３２およびラインメモリ（１Ｈ）３４を経由した（２６２Ｈ）＋（１Ｈ）＝（２６３Ｈ）遅延信号は、加算器３５によって前述の２６３Ｈ相関差を利用した加算処理がなされ、これらは１／２増幅器５１によってレベル変換されて▲２▼ＨＨ′として出力される。
更に、第１遅延処理手段３１および第２遅延処理手段３６の出力を平均化する本発明の平均値算出手段１００によって、▲１▼ＨＨ′と▲２▼ＨＨ′の平均値を算出して▲３▼ＨＨ′を出力する。
【００５２】
これら▲１▼ＨＨ′、▲２▼ＨＨ′および▲３▼ＨＨ′は、次段の振幅比較手段５２および選択手段５３に並行して入力される。振幅比較手段５２では、▲１▼ＨＨ′、▲２▼ＨＨ′および▲３▼ＨＨ′の比較を行い、最小値選択信号を選択手段５３に出力する。選択手段５３では、その検出信号を受取して１画素毎に常に振幅の小さい方を選択して最小レベルのＨＨ′として出力する。以下の動作は先願例のＥＤＴＶ−ＩＩ受像機の構成と同一であり、重複するため省略する。
【００５３】
本実施の形態例の結果について、図２および図１２を参照しつつ説明する。図２は本発明の効果を示す図であり、（ａ）は本発明の実施前のＹ出力に出力される４．６ＭＨｚのドット成分を示す波形図、（ｂ）は本発明の実施後のＹ出力に出力される４．６ＭＨｚのドット成分を示す波形図、（ｃ）は実施の形態１のＨＨ′出力を示す波形図である。
【００５４】
前述の図１２（ａ）の第１例のＨＨ’出力と、同図（ｂ）の第２例のＨＨ’出力と、更に図２（ｃ）に示した本形態例のＨＨ’出力との比較において、例えば図１２および図２（ｃ）の３ライン（５ライン）においては、互いに位相の異なる第１例の出力０．１５と、第２例の出力０．１と、本発明の平均値算出手段１００によって算出されたこれらの平均値（第１例の出力０．１５と第２例の出力０．１は位相が異なるため）、打ち消し合って（０．１５−０．１）／２＝０．０２５とが選択手段によって選択され、本発明の選択手段にはレベルの小さい０．０２５が出力されることになり、−１２ｄＢの改善効果が得られる。
【００５５】
同様に、４ラインでは、互いに位相が異なり同一レベルのため、本発明の平均値算出手段１００によって平均化されて０となり、このラインでは完全にドット成分の問題は解決される。つまり、第１遅延処理手段３１および第２遅延処理手段３６の出力は互いに逆極性であることに着目し、平均値算出手段１００によって互いに打ち消すようにした点が本発明のポイントである。
なお、本発明を実施した結果を図２（ａ）、（ｂ）に示した。図示の如く、本発明を実施後は実施前に比してＹ出力に出力される４．６ＭＨｚのドット成分が減少し、ドット妨害の改善効果が証明された。
【００５６】
このように、本実施の形態例では、第１遅延処理手段３１と第２遅延処理手段３６および新たにこれらの平均値を算出する平均値算出手段１００を設けて、常に最小レベルのＨＨ′を採用するようにしたため、エラーの無い方のＨＨ′を選択することが可能となり、先願例のＥＤＴＶ−ＩＩ受像機に比して垂直非相関部における４．６ＭＨｚ等のドット妨害を改善することができる。また、本実施の形態は、ロジック回路で比較的簡単に構成できることから、高価なメモリを追加する必要がなく、低コストなＥＤＴＶ−ＩＩ受像機を構築できる。
【００５７】
実施の形態例２
本実施の形態例は、実施の形態例１における平均値算出手段に、第１例および第２例のＨＨ′出力を増幅して平均化する増幅平均化手段を加え、最小のＨＨ′を検出するようにした例である。即ち、第１遅延処理手段や第２遅延処理手段の出力するＨＨ′の出力レベルの差異（比）が開いて行くとドット妨害の改善効果が減少するため、これらの比が開かないように双方を増幅することにより、更なるドット妨害の改善効果を得ようとするものであり、これを図３を参照して説明する。図３は本発明のＥＤＴＶ−ＩＩ受像機の実施の形態例２の要部を示すブロック図である。なお、形態例１と同一部分には同一参照符号を付し、それらの説明を一部省略する。
【００５８】
本発明のＥＤＴＶ−ＩＩ受像機の要部構成は、一例として３次元Ｙ／Ｃ分離器後のＣ＋ＨＨ′が入力される入力部３０、第１遅延処理手段３１、１／２増幅器５０、第２遅延処理手段３６、１／２増幅器５１、および平均値算出手段１００に加え、新たに、第１遅延処理手段３１の出力を２倍増幅する増幅器６０、加算器６１、および元のレベルに戻す１／３増幅器６２等からなる第１の増幅平均化手段１０１と、第２遅延処理手段３６の出力を２倍増幅する増幅器６３、加算器６４、および元のレベルに戻す１／３増幅器６５等からなる第２の増幅平均化手段１０２とを加えて構成される。そして、これらの５系統のＨＨ′出力は選択手段５３に接続される。以下の構成は実施の形態例１と同一である。
【００５９】
かかる構成の本発明のＥＤＴＶ−ＩＩ受像機の実施の形態２の動作を説明する。図３において、入力部３０に入力されたＣ＋ＨＨ′信号は、第１遅延処理手段３１や第２遅延処理手段３６に入力される。第１遅延処理手段３１や第２遅延処理手段３６では、所定の処理により▲１▼ＨＨ′、▲２▼ＨＨ′を出力する。平均値算出手段１００では、▲１▼ＨＨ′と▲２▼ＨＨ′の平均値を算出して▲３▼ＨＨ′を出力する。
【００６０】
新たに設けた第１の増幅平均化手段１０１では、第１遅延処理手段３１が出力する▲１▼ＨＨ′を増幅器６０によって２倍増幅するとともに、第２遅延処理手段３６が出力する▲２▼ＨＨ′と共に加算器６１に入力する。２倍増幅された▲１▼ＨＨ′および▲２▼ＨＨ′は加算器６１によって加算されるとともに、１／３増幅器６２によって元のレベルまで戻され、▲４▼ＨＨ′として出力される。
【００６１】
新たに設けられた第２の増幅平均化手段１０２では、第２遅延処理手段３６が出力する▲２▼ＨＨ′を増幅器６３によって２倍増幅するとともに、第１遅延処理手段３１が出力する▲１▼ＨＨ′と共に加算器６４に入力する。２倍増幅された▲２▼ＨＨ′および▲１▼ＨＨ′は加算器６４によって加算されるとともに、１／３増幅器６５によって元のレベルまで戻され、▲５▼ＨＨ′として出力される。
【００６２】
これら▲１▼、▲２▼、▲３▼、▲４▼および▲５▼ＨＨ′は、次段の振幅比較手段（図示省略）および選択手段５３に並行して入力される。振幅比較手段では、これらの各々ＨＨ′の比較を行い、最小値選択信号を選択手段５３に出力する。選択手段５３では、その検出信号を受取して１画素毎に常に振幅の小さい方を選択して最小レベルのＨＨ′信号として出力する。以下の動作は実施の形態例１と同様であるため省略する。
【００６３】
本実施の形態例においては、新たに第１の増幅平均化手段１０１および第２の増幅平均化手段１０２を加え、第１遅延処理手段３１や第２遅延処理手段３６の出力するＨＨ′の出力レベルの差異が開いても双方を増幅することにより、その差異を小さくして選択手段に入力するようにしたため、実施の形態例１に比して更なるドット妨害の改善効果を得ることができる。
【００６４】
本発明は前記実施例に限定されず、種々の実施形態を採ることができる。例えば、本実施例では映像信号処理装置の一例としてＥＤＴＶ−II受像機について説明したが、他のＡＶ機器例えばビデオ機器、ビデオディスク、記録媒体一体型モニタ装置、およびプロジェクタ装置等にも応用が可能である。また、本発明の映像信号処理装置はロジック回路の他、ワンチップマイコン等にてソフトウエア的に実現することも可能である。即ち、これらのＡＶ機器に本発明の映像信号処理装置を内蔵することにより、これらのＡＶ機器の映像品質を向上することができる。更に、本発明は以上示した一実施形態にとらわれず様々な形態に発展できることは言うまでもない。
【００６５】
【発明の効果】
以上説明したように、本発明に係る映像信号処理装置では、ＥＤＴＶ映像信号から分離された色信号および水平解像度補強信号から成る合成信号と、該合成信号を２６２ライン分遅延させた第１の遅延信号との差をとった第１の水平解像度補強信号と、前記合成信号を２６３ライン分遅延させた第２の遅延信号との和をとった第２の水平解像度補強信号と、前記第１の水平解像度補強信号と前記第２の水平解像度補強信号との平均をとった第３の水平解像度補強信号のなかから最小の振幅値を有する水平解像度補強信号を選択手段により選択し、色信号分離手段により前記合成信号と前記選択手段から出力される水平解像度補強信号との差をとって色信号を取り出すことにより、常にエラーの無い最小振幅の周波数シフト後の水平補強信号を復調することができ、垂直非相関部でのクロストークによる特定周波数のドット妨害を改善することができる。
【００６６】
また、本発明に係る映像信号処理装置では、ＥＤＴＶ映像信号から分離された色信号および水平解像度補強信号から成る合成信号と、該合成信号を２６２ライン分遅延させた第１の遅延信号との差をとった第１の水平解像度補強信号と、前記合成信号を２６３ライン分遅延させた第２の遅延信号との和をとった第２の水平解像度補強信号と、前記第１の水平解像度補強信号と前記第２の水平解像度補強信号との平均をそれぞれ異なる重み付けでとった複数の水平解像度補強信号のなかから最小の振幅値を有する水平解像度補強信号を選択手段により選択し、色信号分離手段により前記合成信号と前記選択手段から出力される水平解像度補強信号との差をとって色信号を取り出すことにより、第１遅延処理手段や第２遅延処理手段の出力する周波数シフト後の水平補強信号の出力レベルの差異が開いた場合にも、エラーの無い方の周波数シフト後の水平補強信号を選択することが可能となり、垂直非相関部における特定周波数のドット妨害を更に改善できる。
【図面の簡単な説明】
【図１】本発明のＥＤＴＶ−ＩＩ受像機の実施の形態例１の要部を示すブロック図である。
【図２】本発明の効果を示す図であり、（ａ）は本発明の実施前のＹ出力に出力される４．６ＭＨｚのドット成分を示す波形図、（ｂ）は本発明の実施後のＹ出力に出力される４．６ＭＨｚのドット成分を示す波形図、（ｃ）は実施の形態１のＨＨ′出力を示す波形図である。
【図３】本発明のＥＤＴＶ−ＩＩ受像機の実施の形態例２の要部を示すブロック図である。
【図４】従来技術のＥＤＴＶ−ＩＩ受信機の一例を示すブロック図である。
【図５】垂直対時間領域におけるキャリアの位相関係を示す図であり、（ａ）は色副搬送波ｆｓｃの位相関係を示す説明図、（ｂ）はホール多重のＨＨ′キャリアの位相関係を示す説明図である。
【図６】第１例のＣ／ＨＨ′分離器を示す図であり、（ａ）は第１例のＣ／ＨＨ′分離器のブロック図、（ｂ）はそのフィルタ特性を示す特性図である。
【図７】第２例のＣ／ＨＨ′分離器を示す図であり、（ａ）は第２例のＣ／ＨＨ′分離器のブロック図、（ｂ）はそのフィルタ特性を示す特性図である。
【図８】垂直非相関部の色信号を示す図であり、（ａ）は画面に赤と灰色を表示した場合の垂直周波数−時間周波数上でのフィルタ特性、（ｂ）は上述の第１例のＣ／ＨＨ′分離器で得られるＨＨ′を示す図、（ｃ）は第２例のＣ／ＨＨ′分離器で得られるＨＨ′を示す図である。
【図９】先願例のＥＤＴＶ−ＩＩ受像機を示すブロック図である。
【図１０】先願例のＥＤＴＶ−ＩＩ受像機によって得られるＨＨ′出力を示す図である。
【図１１】垂直方向の信号の鈍りによる色のエッジ部への影響を示す説明図である。
【図１２】鈍った信号時のＨＨ′出力を示す波形図であり、（ａ）は第１例のＣ／ＨＨ′分離器のＨＨ′出力、（ｂ）は第２例のＣ／ＨＨ′分離器のＨＨ′出力、（ｃ）は先願例の選択手段のＨＨ′出力を示す図である。
【符号の説明】
１，１１，２１，３０      入力部
２    Ａ／Ｄ変換器
３    ３次元Ｙ／Ｃ分離器
４    Ｃ／ＨＨ′分離器
５    ＨＨ復調器
７，８，１５，１６，２５，２６，４４，４５    出力部
１０    第１例のＣ／ＨＨ′分離器
２０    第２例のＣ／ＨＨ′分離器
１２，３２      フィールドメモリ（２６２Ｈ）
２２    フィールドメモリ（２６３Ｈ）
３４        ラインメモリ（１Ｈ）
１３，１４，２４，３３      減算器
６，２３，３５，５４，６１，６４      加算器
３１    第１遅延処理手段
３６    第２遅延処理手段
３７，５２      振幅比較手段
３８，５３      選択手段
３９    振幅検出手段
４０    信号分離手段
４１，４２，４３    セレクタ
６０，６３      増幅器
５０，５１，５５  １／２増幅器
６２，６５      １／３増幅器
１００    平均値算出手段
１０１    第１の増幅平均化手段
１０２    第２の増幅平均化手段
ＨＨ    輝度信号の水平高域成分
ＨＨ′  周波数シフト後の水平解像度補強信号
【図１】
0003567563.tif 000002
【図２】
0003567563.tif 000003
【図３】
0003567563.tif 000004
【図４】
0003567563.tif 000005
【図５】
0003567563.tif 000006
【図６】
0003567563.tif 000007
【図７】
0003567563.tif 000008
【図８】
0003567563.tif 000009
【図９】
0003567563.tif 000010
【図１０】
0003567563.tif 000011
【図１１】
0003567563.tif 000012
【図１２】
0003567563.tif 000013